(57)【要約】【課題】消音演奏モード中、ストッパレールを打弦阻止位置に確実に保持できることで、消音演奏モードによる演奏を適切に行うことができるピアノの消音機構を提供する。【解決手段】消音機構１では、演奏モードが消音演奏モードに設定されるのに伴い、押圧レバー３７が、レバー支点４１を中心として回動し、駆動レバー３２を押圧することにより、駆動レバー３２が駆動ロッド２５とともに、レバー支点４１の軸線と平行な軸線上のロッド支点ＲＰを中心として回動する。その結果、駆動ロッド２５の押圧部２６がストッパレール２１を押圧することによって、ストッパレール２１は、打弦阻止位置に移動し、保持される。また、ストッパレール２１が打弦阻止位置に保持されている状態において、ロッド支点ＲＰと、押圧レバー３７との駆動レバー２５の接触点ＴＰとを結ぶ直線Ｌ１、および、レバー支点４１と接触点ＴＰとを結ぶ直線Ｌ２が互いにほぼ直交している。【選択図】図８
2010224027.tif 000002
【特許請求の範囲】
【請求項１】
複数の鍵と、当該複数の鍵の押鍵に伴って回動する複数のハンマーを有するとともに、前記回動するハンマーによる弦の打弦を許容する通常演奏モードと、前記弦の打弦を阻止する消音演奏モードとに、演奏モードが切り換えて演奏されるピアノの消音機構であって、
前記複数のハンマーの並び方向に延びるとともに、前記ハンマーの通過を許容することによって、当該ハンマーによる打弦を許容する打弦許容位置と、前記ハンマーが当接することによって、当該ハンマーによる打弦を阻止する打弦阻止位置とに移動可能なストッパレールと、
前記複数のハンマーの並び方向に延び、ロッド支点を中心として回動自在に設けられるとともに、前記ストッパレールを押圧するための押圧部を有する駆動ロッドと、
当該駆動ロッドと一体の駆動レバーと、
前記通常演奏モードと前記消音演奏モードに前記演奏モードを切り換えるために操作される操作部材と、
前記ロッド支点の軸線と平行な軸線上のレバー支点を中心として、回動自在に設けられるとともに、前記操作部材に連結され、前記演奏モードを前記消音演奏モードに設定するために、前記操作部材の操作に伴って回動し、前記駆動レバーを押圧することにより、当該駆動レバーを前記駆動ロッドとともに回動させることで、前記押圧部に前記ストッパレールを押圧させることによって、当該ストッパレールを、前記打弦阻止位置に移動させ、保持するための押圧レバーと、を備え、
前記駆動レバーおよび前記押圧レバーは、前記ストッパレールが前記打弦阻止位置に保持されている状態において、前記ロッド支点と、前記押圧レバーとの前記駆動レバーの接触点とを結ぶ直線、および、前記レバー支点と前記接触点とを結ぶ直線が互いにほぼ直交するように構成されていることを特徴とするピアノの消音機構。
【請求項２】
前記駆動レバーは、
前記駆動ロッドと一体のレバー本体と、
当該レバー本体に、前記駆動レバーの回動方向に移動可能に設けられ、前記押圧レバーに接触する接触部材と、
前記レバー本体に対して、前記接触部材を前記駆動レバーの回動方向に移動させることにより、前記押圧レバーとの前記接触部材の接触点の位置を調整するための調整機構と、を有することを特徴とする、請求項１に記載のピアノの消音機構。
【請求項３】
前記調整機構は、前記レバー本体および前記接触部材の一方に、前記駆動レバーの回動方向に進退自在にねじ込まれるとともに、先端が前記レバー本体および前記接触部材の他方に接触する調整ねじを有することを特徴とする、請求項２に記載のピアノの消音機構。
【発明の詳細な説明】
【技術分野】
【０００１】
本発明は、ハンマーによる弦の打弦を、通常演奏モード中に許容するとともに、消音演奏モード中に阻止するためのピアノの消音機構に関する。
【背景技術】
【０００２】
従来、この種のピアノの消音機構として、例えば特許文献１に開示されたものが知られている。このピアノは、グランド型のものであり、複数の鍵や、弦を打弦する複数のハンマー、各鍵の回動に伴って作動し、ハンマーを回動させるアクション、消音機構を備えている。この消音機構は、ハンマーの回動を阻止するためのストッパレールと、このストッパレールを駆動するための駆動機構を備えている。以下、このピアノを演奏者から見た手前側を「前」、奥側を「後」として説明する。ストッパレールは、被押圧部を有し、ハンマーシャンクの上方に配置されており、ハンマーによる打弦を許容する打弦許容位置と、ハンマーによる打弦を阻止する打弦阻止位置とに、移動自在になっている。また、ストッパレールには、これを打弦許容位置に保持するための第１ばねが取り付けられている。
【０００３】
上記の駆動機構は、回動自在に設けられた駆動ロッドと、駆動ロッドの途中に一体に設けられた押圧部と、駆動ロッドの左端部に固定された駆動レバーを有している。これらの押圧部および駆動レバーは、駆動ロッドから前方に若干、突出している。また、駆動レバーには、その前端部に第２ばねが、その前後方向の中央部にワイヤが、それぞれ取り付けられている。このワイヤには、ピアノの演奏モードを切り換えるために操作される操作レバーが、接続されている。
【０００４】
上述した従来の消音機構では、演奏モードは、操作レバーが操作されていない状態では通常演奏モードに設定され、操作レバーが操作されている状態では、消音演奏モードに設定される。この通常演奏モード中、第２ばねの付勢力が駆動レバーに作用することによって、これと一体の駆動ロッドの押圧部は、ストッパレールの被押圧部に上方から対向した状態に保持されている。また、ストッパレールは、第１ばねの付勢力によって、打弦許容位置に保持されている。この状態で鍵が押鍵されると、アクションが作動することによって、ハンマーが上方に回動し、弦を打弦する。
【０００５】
上記の状態から、操作レバーが操作され、演奏モードが消音演奏モードに設定されると、ワイヤが引き下げられる。これにより、駆動レバーに、これを下方に回動させるモーメントが作用する結果、駆動ロッドは、第２ばねの付勢力に抗して回動する。この回動の途中、駆動ロッドの押圧部が、ストッパレールの被押圧部を押圧することによって、ストッパレールは、第１ばねの付勢力に抗して下方に移動し、打弦阻止位置に保持される。この状態で鍵が押鍵されると、ハンマーの回動の途中、弦を打弦する直前で、ハンマーがストッパレールに当接することによって、ハンマーのそれ以上の回動が阻止され、弦の打弦が阻止される。
【先行技術文献】
【特許文献】
【０００６】
【特許文献１】特開２００６−２２７５４２号公報
【発明の概要】
【発明が解決しようとする課題】
【０００７】
上述したように、従来の消音機構では、消音演奏モード中、ワイヤの引張力で、駆動レバーが、駆動ロッドとともに、第２ばねの付勢力に抗して下方に回動することによって、駆動ロッドの押圧部が被押圧部を押圧する結果、ストッパレールが、第１ばねの付勢力に抗して下方に移動し、打弦阻止位置に保持される。
【０００８】
この場合、駆動ロッドから前方に突出する駆動レバーの前端部に第２ばねが取り付けられていることから、駆動ロッドおよび駆動レバーには、第２ばねの付勢力による比較的大きなモーメントが作用する。また、押圧部が駆動ロッドから前方に突出していることから、駆動ロッドおよび駆動レバーには、第１ばねの付勢力による比較的大きなモーメントが作用する。これに対して、従来の消音機構では、ワイヤが駆動レバーの前後方向の中央部に取り付けられているにすぎないので、消音演奏モード中、上記のモーメントにワイヤの引張力が抗しきれず、それにより、駆動ロッドが駆動レバーとともに上方に回動する結果、ストッパレールを打弦阻止位置に確実に保持できないおそれがある。その場合には、ハンマーによる打弦を阻止できず、消音演奏モードによる演奏を適切に行うことができなくなってしまう。
【０００９】
本発明は、以上のような課題を解決するためになされたものであり、消音演奏モード中、ストッパレールを打弦阻止位置に確実に保持でき、それにより、消音演奏モードによる演奏を適切に行うことができるピアノの消音機構を提供することを目的とする。
【課題を解決するための手段】
【００１０】
上記の目的を達成するために、請求項１に係る発明は、複数の鍵と、複数の鍵の押鍵に伴って回動する複数のハンマーを有するとともに、回動するハンマーによる弦の打弦を許容する通常演奏モードと、弦の打弦を阻止する消音演奏モードとに、演奏モードが切り換えて演奏されるピアノの消音機構であって、複数のハンマーの並び方向に延びるとともに、ハンマーの通過を許容することによって、ハンマーによる打弦を許容する打弦許容位置と、ハンマーが当接することによって、ハンマーによる打弦を阻止する打弦阻止位置とに移動可能なストッパレールと、複数のハンマーの並び方向に延び、ロッド支点を中心として回動自在に設けられるとともに、ストッパレールを押圧するための押圧部を有する駆動ロッドと、駆動ロッドと一体の駆動レバーと、通常演奏モードと消音演奏モードに演奏モードを切り換えるために操作される操作部材と、ロッド支点の軸線と平行な軸線上のレバー支点を中心として、回動自在に設けられるとともに、操作部材に連結され、演奏モードを消音演奏モードに設定するために、操作部材の操作に伴って回動し、駆動レバーを押圧することにより、駆動レバーを駆動ロッドとともに回動させることで、押圧部にストッパレールを押圧させることによって、ストッパレールを、打弦阻止位置に移動させ、保持するための押圧レバーと、を備え、駆動レバーおよび押圧レバーは、ストッパレールが打弦阻止位置に保持されている状態において、ロッド支点と、押圧レバーとの駆動レバーの接触点とを結ぶ直線、および、レバー支点と接触点とを結ぶ直線が互いにほぼ直交するように構成されていることを特徴とする。
【００１１】
このピアノの消音機構によれば、通常演奏モード中、ストッパレールが打弦許容位置に位置する。この状態で鍵が押鍵されると、ハンマーが回動し、ストッパレールがハンマーの通過を許容することによって、ハンマーが弦を打弦し、通常演奏モードによる演奏が行われる。一方、この状態から、操作部材が操作され、演奏モードが消音演奏モードに設定されると、それに伴い、押圧レバーが、レバー支点を中心として回動し、駆動レバーを押圧することにより、駆動レバーが駆動ロッドとともに、レバー支点の軸線と平行な軸線上のロッド支点を中心として回動する。その結果、駆動ロッドの押圧部がストッパレールを押圧することによって、ストッパレールは、打弦阻止位置に移動し、保持される。この状態で鍵が押鍵されると、ハンマーが回動し、その途中でストッパレールと当接することによって、ハンマーによる打弦が阻止され、消音演奏モードによる演奏が行われる。
【００１２】
以上のように、消音演奏モード中、押圧レバーが駆動レバーを押圧することにより、ストッパレールが打弦阻止位置に保持されるので、ハンマーがストッパレールに当接した際に、押圧レバーには、ストッパレールや駆動ロッド、駆動レバーを介して、反力が作用する。この場合、駆動レバーが回動自在に設けられていることから、この反力の方向は、駆動レバーの回動中心であるロッド支点と、押圧レバーとの駆動レバーの接触点（以下「レバー接触点」という）とを結ぶ直線に直交する直線が延びる方向と同じになる。
【００１３】
これに対して、上述した構成によれば、ストッパレールが打弦阻止位置に保持されている状態において、ロッド支点とレバー接触点とを結ぶ直線、および、押圧レバーの回動中心であるレバー支点とレバー接触点とを結ぶ直線が、互いにほぼ直交するように、駆動レバーおよび押圧レバーが構成されている。これにより、消音演奏モード中、上述した反力の作用点からレバー支点までの腕の長さが短くなるので、この反力によって押圧レバーに作用するモーメントを非常に小さくすることができ、したがって、押圧レバーが回動するのを防止することができる。これにより、駆動レバーが押圧レバーで押圧された所定の回動位置に保持されるので、ストッパレールを打弦阻止位置に確実に保持することができ、したがって、ハンマーによる打弦を確実に阻止でき、消音演奏モードによる演奏を適切に行うことができる。
【００１４】
請求項２に係る発明は、請求項１に記載のピアノの消音機構において、駆動レバーは、駆動ロッドと一体のレバー本体と、レバー本体に、駆動レバーの回動方向に移動可能に設けられ、押圧レバーに接触する接触部材と、レバー本体に対して、接触部材を駆動レバーの回動方向に移動させることにより、押圧レバーとの接触部材の接触点の位置を調整するための調整機構と、を有することを特徴とする。
【００１５】
この構成によれば、駆動ロッドと一体のレバー本体に対して、押圧レバーに接触する接触部材が、駆動レバーの回動方向に移動自在になっており、調整機構により、レバー本体に対して、接触部材を駆動レバーの回動方向に移動させることで、この押圧レバーとの接触部材の接触点（レバー接触点）の位置が調整される。
【００１６】
ストッパレールを所望の打弦阻止位置にセットするために、押圧レバーの回動角度を変えることによって、押圧レバーで駆動レバーを押圧した状態における駆動レバーの回動位置を調整するときには、駆動レバーおよび押圧レバーが前述したように構成されているので、押圧レバーの角度変化に対する駆動レバーの調整範囲が非常に小さい。このため、必要な駆動レバーの調整量が大きいときには、ストッパレールを所望の打弦阻止位置にセットできない場合がある。これに対して、上述した構成によれば、調整機構により、押圧レバーとは独立して、駆動レバーの回動方向における、レバー本体に対するレバー接触点の位置を調整できるので、押圧レバーで駆動レバーを押圧した状態におけるレバー本体の回動位置を、適切に調整することができる。これにより、必要な駆動レバーの調整量が大きい場合にも、ストッパレールを所望の打弦阻止位置にセットすることができ、ひいては、ストッパレールの安定した適正な打弦阻止動作を確保することができる。
【００１７】
請求項３に係る発明は、請求項２に記載のピアノの消音機構において、調整機構は、レバー本体および接触部材の一方に、駆動レバーの回動方向に進退自在にねじ込まれるとともに、先端がレバー本体および接触部材の他方に接触する調整ねじを有することを特徴とする。
【００１８】
この構成によれば、押圧レバーが、接触部材に接触するとともに、駆動レバーを押圧していることから、レバー本体および接触部材の一方に対して、調整ねじを駆動レバーの回動方向に進退させると、調整ねじの先端が接触しているレバー本体および接触部材の他方が、調整ねじと一緒に駆動レバーの回動方向に移動する。これにより、駆動レバーの回動方向における、レバー本体に対するレバー接触点（押圧レバーとの接触部材の接触点）の位置が調整される結果、押圧レバーで駆動レバーを押圧した状態におけるレバー本体の回動位置が、調整される。このように、構成が比較的単純な調整ねじを用いて、押圧レバーで駆動レバーを押圧した状態におけるレバー本体の回動位置の調整を、容易にかつ無段階で精度良く行うことができ、ひいては、ストッパレールを所望の打弦阻止位置に精度良くセットすることができる。
【図面の簡単な説明】
【００１９】
【図１】本実施形態による消音機構を適用したグランド型の消音ピアノの鍵盤装置を、離鍵状態において示す側断面図である。
【図２】図１の消音機構やハンマーなどを、離鍵状態において示す側面図である。
【図３】図１の消音機構やハンマーなどを、離鍵状態において示す斜視図である。
【図４】レール支持部材、駆動ロッドおよびロッド支持部材を拡大して示す側面図である。
【図５】駆動レバーを駆動ロッドとともに、（ａ）前側から見た拡大図、（ｂ）左側から見た拡大図、（ｃ）後側から見た拡大図である。
【図６】通常演奏モード中の消音機構の動作を説明するための図である。
【図７】消音演奏モード中の消音機構の動作を説明するための図である。
【図８】消音演奏モード中、ストッパレールが打弦阻止位置に保持されている状態における駆動レバーおよび押圧レバーの位置関係を説明するための図である。
【図９】調整機構によるレバー接触点の位置の調整を説明するための図である。
【発明を実施するための形態】
【００２０】
以下、図面を参照しながら、本発明の好ましい実施形態を詳細に説明する。図１は、本実施形態による消音機構１を適用したグランド型の消音ピアノ２の鍵盤装置を、離鍵状態において示している。以下の説明では、消音ピアノ２を演奏者から見た場合の手前側（同図の右側）を「前」、奥側（同図の左側）を「後」とし、さらに左側および右側をそれぞれ「左」および「右」とする。
【００２１】
図１に示すように、この消音ピアノ２は、棚板３と、棚板３に引出し自在に載置された筬４と、筬４に載置された複数の鍵５と、鍵５ごとに設けられ、弦Ｓを打弦するハンマー６（いずれも１つのみ図示）と、鍵５の押鍵に伴ってハンマー６を回動させるためのアクション１１と、消音機構１を備えている。この消音ピアノ２では、演奏モードが、ハンマー６による弦Ｓの打弦を許容することによってアコースティックな演奏音を発生させる通常演奏モードと、ハンマー６による弦Ｓの打弦を阻止するとともに、鍵５の押鍵情報に応じて楽音発生装置（図示せず）によって電子的な演奏音を発生させる消音演奏モードに、切り換えられる。
【００２２】
鍵５は、その中央に形成されたバランスピン孔（図示せず）を介して、筬４に立設されたバランスピン（図示せず）に回動自在に支持されている。また、弦Ｓは、フレームの前端部に打ち込まれたチューニングピンと、チューニングピンよりも後方に埋め込まれたヒッチピン（いずれも図示せず）との間に張られ、鍵５やハンマー６の上方において、前後方向に延びている。
【００２３】
アクション１１は、ウィッペンレール７に取り付けられており、鍵５の後部上方に配置されている。ウィッペンレール７は、複数の鍵５の全体にわたって左右方向に延びており、筬４の左右の端部とその中間の所定の位置に設けられた複数のブラケット９（１つのみ図示）に渡されている。また、アクション１１は、いずれも鍵５ごとに設けられたウィッペン１２、レペティションレバー１３およびジャック１４を有している。各ウィッペン１２は、その後端部において、ウィッペンレール７に回動自在に取り付けられており、鍵５の後部に載置されている。また、レペティションレバー１３およびジャック１４は、ウィッペン１２に回動自在に取り付けられている。
【００２４】
上記のハンマー６は、前後方向に延びるハンマーシャンク６ａと、ハンマーシャンク６ａの後端部に取り付けられたハンマーヘッド６ｂを有している。また、ハンマー６は、ハンマーシャンク６ａの前端部において、ハンマーシャンクフレンジ６ｃを介してハンマーシャンクレール８に回動自在に支持されており、図１に示す離鍵状態では、上述したレペティションレバー１３に載置されている。ハンマーシャンクレール８は、複数の鍵５の全体にわたって左右方向に延びており、上述した複数のブラケット９に渡されている。
【００２５】
図１〜図３に示すように、消音機構１は、ハンマー６による弦Ｓの打弦を阻止するためのストッパレール２１と、ストッパレール２１を支持する複数のレール支持部材２２（１つのみ図示）と、ストッパレール２１を駆動するための駆動ロッド２５と、駆動ロッド２５を支持する複数のロッド支持部材２７（１つのみ図示）と、駆動ロッド２５を駆動するための駆動機構３１を有している。なお、図２および図３では、便宜上、アクション１１などの一部の部品を省略している。
【００２６】
ストッパレール２１は、金属製の板材で構成され、複数のハンマー５の全体にわたって、左右方向に延びており、弦Ｓとハンマー６の間に、ハンマーシャンク６ａの後部付近に対向するように配置されている。また、ストッパレール２１は、高中音域レールおよび低音域レールに区分されており、これらの高中音域レールおよび低音域レールは、高中音域および低音域の全体にわたって、それぞれ延びている。
【００２７】
さらに、ストッパレール２１には、レール支持部材２２に対応する所定の複数の位置に、上下方向に貫通する前後２つの孔がそれぞれ形成されている。ストッパレール２１は、ねじ２１ａを、これらの孔のそれぞれに上方から挿入し、ロックナット２１ｂを介して、レール支持部材２２の後述するねじ孔にねじ込むことにより、レール支持部材２２に固定されている。また、ねじ２１ａには、保持部材２１ｃが設けられている。この保持部材２１ｃはねじ２１ａにねじ込まれており、ストッパレール２１は、保持部材２１ｃとねじ２１ａの頭部に挟持されることによって、ねじ２１ａに対して上下方向に動かないように保持されている。また、ストッパレール２１の高さ位置は、レール支持部材２２に対するねじ２１ａのねじこみ量を調整することによって、調整される。さらに、ストッパレール２１の下面には、レール支持部材２２に対応する部分を除いて、ゴムまたは発泡ウレタンなどの弾性材料で構成されたクッション材２１ｄが取り付けられている。
【００２８】
複数のレール支持部材２２は、ブラケット９に対応する位置に配置されている。図１〜図４に示すように、各レール支持部材２２は、曲げ加工された金属板で構成されており、本体部２２ａと、この本体部２２ａから前方に延びるアーム部２２ｂを一体に有している。本体部２２ａの上端部は、左方または右方に若干、延びる取付部２２ｃになっており、この取付部２２ｃには、上述したねじ２１ａをねじ込むためのねじ孔が形成されている。また、本体部２２ａの下端部には、側断面がＵ字状の係合部２２ｄが設けられている。さらに、レール支持部材２２は、アーム部２２ｂの前端部において、ピン状の支点２２ｅを介して上記のロッド支持部材２７に回動自在に取り付けられている。以上の構成により、レール支持部材２２は、ストッパレール２１とともに、この支点２２ｅを中心として回動自在になっている。
【００２９】
上記の駆動ロッド２５は、１本の丸棒で構成されており、複数のハンマー６の全体にわたって、左右方向に延びている。駆動ロッド２５には、レール支持部材２２に対応する位置に、Ｌ字状の複数の押圧部２６（１つのみ図示）が設けられており、押圧部２６は、上述したレール支持部材２２の係合部２２ｄに係合している。また、駆動ロッド２５の左端部には、その径方向に貫通するねじ孔２５ａが形成されている（図５（ｃ）参照）。
【００３０】
複数のロッド支持部材２７は、レール支持部材２２と同様、ブラケット９に対応する位置に配置されている。各ロッド支持部材２７は、曲げ加工された金属板で構成されており、その前端部が左方または右方に若干、延びる第１被取付部２７ａになっており、第１被取付部２７ａにおいて、前述したハンマーシャンクレール８を介してブラケット９にねじ止めされている。また、ロッド支持部材２７の後部の下端部は、左方または右方に若干、延びる第２被取付部２７ｂになっており、ロッド支持部材２７は、第２被取付部２７ｂにおいて、前述したウィッペンレール７を介してブラケット９にねじ止めされている。さらに、ロッド支持部材２７の前部には、左右一対の側壁から成る第１取付部２７ｃが設けられており、第１取付部２７ｃには、取付孔が左右方向に貫通するように形成されている。レール支持部材２２は、これらの取付孔に上述した支点２２ｅを通すことによって、ロッド支持部材２７に回動自在に取り付けられている。
【００３１】
さらに、ロッド支持部材２７の後端部は、左方または右方に若干、延びる第２取付部２７ｄになっており、この第２取付部２７ｄには、駆動ロッド２５を取り付けるための金具２８が設けられている。この金具２８は、側断面が半円状の本体部２８ａと、この本体部２８ａの前端から上下に延びる被取付部２８ｂ，２８ｂで構成されており、各被取付部２８ｂには、前後方向に貫通する孔が形成されている。金具２８は、駆動ロッド２５を本体部２８ａに通した状態で、ねじ２８ｃを、各被取付部２８ｂの孔を介して第２取付部２７ｄにねじ込むことにより、取り付けられている。これにより、駆動ロッド２５は、その軸線を中心として、ロッド支持部材２７に回動自在に支持されている。また、複数のロッド支持部材２７のうち、最も左側（低音側）に配置されたものには、その下部に、左方に若干、突出する突起２７ｅが設けられている（図２および図４参照）。
【００３２】
図２に示すように、前述した駆動機構３１は、演奏モードを切り換えるための操作レバー（図示せず）と、この操作レバーの操作に伴って連動することにより、駆動ロッド２５を駆動する駆動レバー３２および押圧レバー３７を有している。
【００３３】
図２に示すように、駆動レバー３２は、押圧レバー３７の前側に配置されている。図２および図５に示すように、駆動レバー３２は、駆動ロッド２５に固定されたレバー本体３３と、このレバー本体３３に設けられ、押圧レバー３７に接触する接触部材３４と、レバー本体３３に対する接触部材３４の位置を調整するための調整機構３５などで構成されている。
【００３４】
レバー本体３３は、曲げ加工された金属板で構成されており、左右方向に互いに間隔を隔てて配置された左右の側壁３３ａ，３３ｂと、両側壁３３ａ，３３ｂの前端を互いに連結する前壁３３ｃを一体に有している。右側壁３３ｂおよび前壁３３ｃは、互いに同じ長さを有し、上下方向に延び、左側壁３３ａは、右側壁３３ｂおよび前壁３３ｃよりも上方に延びており、左側壁３３ａの下部および右側壁３３ｂの上部が、互いに対向している。また、左側壁３３ａの下端部および右側壁３３ｂの上端部には、互いに対向する位置に、左右方向に貫通する被取付孔３３ｄ，３３ｅがそれぞれ形成されている。さらに、前壁３３ｃには、これらの被取付孔３３ｄ，３３ｅに対応する位置に、前後方向に貫通する孔３３ｆが形成されている。以上の構成のレバー本体３３は、被取付孔３３ｄ，３３ｅに駆動ロッド２５を挿入した状態で、ねじ３３ｇを、前壁３３ｃの孔３３ｆを介して、駆動ロッド２５の前述したねじ孔２５ａにねじ込むことにより、駆動ロッド２５の左端部に一体に固定されている。これにより、レバー本体３３は、駆動ロッド２５の軸線を中心として、駆動ロッド２５と一体に回動自在になっている。
【００３５】
また、左側壁３３ａの前側の上端部には、取付孔３３ｈが形成されている。この取付孔３３ｈには、引張コイルばねで構成された第１ばね３６の一端部が掛け止めされており、第１ばね３６の他端部は、前述したロッド支持部材２７の突起２７ｅに掛け止めされている。この第１ばね３６によって、レバー本体３３は、駆動ロッド２５とともに、図２の時計回りに付勢されている。さらに、前壁３３ｃの下端部には、調整機構３５の後述する調整ねじ３５ａを取り付けるためのねじ孔３３ｉが、前後方向に貫通するように形成されている。また、右側壁３３ｂには、被取付孔３３ｅのすぐ下側に、接触部材３４を取り付けるためのピン状の支点３３ｊが設けられており、左方に若干、延びている。
【００３６】
上記の接触部材３４は、曲げ加工された金属板で構成され、側壁３４ａと、側壁３４ａの後端から右方に延びる後壁３４ｂを一体に有している。側壁３４ａは、レバー本体３３の左側壁３３ａのすぐ下側に配置されており、右側壁３３ｂの上部以外の部分に対向している。後壁３４ｂは、レバー本体３３の前壁３３ｃの上部以外の部分に対向している。また、側壁３４ａには、その前側の上端部に、左右方向に貫通する被取付孔３４ｃが形成されている。接触部材３４は、この被取付孔３４ｃに、軸受け３４ｄを介して上述した本体部３３の支点３３ｊが挿入されることにより、本体部３３に、支点３３ｊを中心として回動自在に取り付けられている。
【００３７】
以上の構成により、駆動ロッド２５および支点３３ｊが前述したように左右方向に延びているので、接触部材３４は、レバー本体３３に対して、レバー本体３３を含む駆動レバー３２の回動方向に回動可能である。また、後壁３４ｂには、後方から押圧レバー３７が接触している。
【００３８】
調整機構３５は、調整ねじ３５ａで構成されており、その先端には、キャップ３５ｂが取り付けられている。調整ねじ３５ａは、前述したレバー本体３３のねじ孔３３ｉに、前方からねじ込まれており、キャップ３５ｂは、接触部材３４の後壁３４ｂに、前方から接触している。以上の構成により、調整ねじ３５ａを回すと、調整ねじ３５ａは、レバー本体３３に対して、前後方向に進退する。この場合、上述したように、接触部材３４が支点３３ｊを中心として駆動レバー３２の回動方向に回動自在になっていることと、後壁３４ｂに、押圧レバー３７が後方から、キャップ３５ｂが前方から、それぞれ接触していることから、調整ねじ３５ａがレバー本体３３に対して前後方向に進退するのに伴い、接触部材３４は、支点３３ｊを中心として駆動レバー３２の回動方向に回動する。また、調整ねじ３５ａには、レバー本体３３に対して調整ねじ３５ａを進退した位置に保持するためのロックナット３５ｃが設けられている。
【００３９】
図２に示すように、前述した押圧レバー３７は、本体部３８と、本体部３８に設けられたローラ３９を有している。本体部３８は、上下方向に延びる基部３８ａと、基部３８ａの途中から後方に若干、延びる被支持部３８ｂを一体に有しており、金属板を曲げ加工することによって、上下方向に直交する断面が「コ」字状に形成されている。被支持部３８ｂには、左右方向に貫通する孔が形成されており、押圧レバー３７は、駆動ロッド２５と平行に左右方向に延びるピン状のレバー支点４１に、この孔を通すことによって、レバー支点４１を中心として回動自在に支持されている。レバー支点４１は、消音ピアノ２のピアノ本体に固定された金具（いずれも図示せず）に設けられている。
【００４０】
また、基部３８ａの上端部には、左右の両外側に突出するピン３８ｃが設けられており、このピン３８ｃに、上記のローラ３９が回動自在に取り付けられている。ローラ３９は、本体部３８よりも前側に突出しており、接触部材３４の後壁３４ｂの上部に、後方から接触している。さらに、基部３８ａの上端部には、ピン３８ｃよりも後ろ側に、取付孔３８ｄが形成されている。この取付孔３８ｄには、引張コイルばねで構成された第２ばね４２の一端部が掛け止めされており、第２ばね４２の他端部は、上記の金具に掛け止めされている。この第２ばね４２によって、押圧レバー３７は、図２の反時計回りに付勢されている。また、基部３８ａの下端部には、接続部材３８ｅが、左右方向に延びる軸線を中心として回動自在に設けられている。この接続部材３８ｅには、ワイヤ５１（操作部材）の一端部が接続されており、ワイヤ５１の他端部は、前述した操作レバーに接続されている。このワイヤ５１には、消音演奏モード中、操作レバーの操作に伴って引張力が作用し、ワイヤ５１をそのように引張力が作用した状態に保持するための保持機構が設けられている。
【００４１】
次に、図６や図７を参照しながら、各演奏モードにおける消音機構１の動作について、アクション１１やハンマー６の動作とともに説明する。通常演奏モードで演奏を行う場合には、操作レバーは非操作状態に保持される。この状態では、押圧レバー３７は、第２ばね４２の付勢力によって、図６の反時計回りに回動した位置にあり、駆動レバー３２は、第１ばね３６の付勢力によって、駆動ロッド２５とともに、同図の時計回りに回動した位置にある。これにより、通常演奏モード中、駆動ロッド２５の押圧部２６が、レール支持部材２２を介してストッパレール２１を上方に押圧することによって、ストッパレール２１は、図６に示す上方の打弦許容位置に保持される。
【００４２】
この状態で、鍵５が押鍵されると、鍵５がバランスピンを中心として、図１の時計回りに回動するのに伴い、アクション１１の前述したウィッペン１２が、鍵５によって突き上げられる。これにより、ウィッペン１２は、レペティションレバー１３およびジャック１４と一緒に上方に回動し、この回動に伴い、ジャック１４がハンマー６を突き上げることによって、ハンマー６が時計回りに回動する。その結果、図６に示すように、ハンマー６のハンマーヘッド６ｂが、弦Ｓを打弦し、通常演奏モードによる演奏が行われる。
【００４３】
この通常演奏モードから、演奏モードを消音演奏モードに設定するために、操作レバーが操作されると、それにより、ワイヤ５１が操作レバー側に引っ張られることによって、押圧レバー３７の接続部材３８ｅが後方に移動する結果、押圧レバー３７は、第２ばね４２の付勢力に抗して、図６の時計回りに回動した後、ストッパ（図示せず）に当接する。この押圧レバー３７の回動に伴い、ローラ３９が、接触部材３４に沿って下方に摺動しながらこれを前方に押圧し、それにより、駆動レバー３２が、駆動ロッド２５とともに、第１ばね３６の付勢力に抗して図６の反時計回りに回動する。これにより、駆動ロッド２５の押圧部２６が、レール支持部材２２を介してストッパレール２１を下方に押圧することによって、ストッパレール２１は、図７に示す下方の打弦阻止位置に移動し、保持される。
【００４４】
この状態で、鍵５が押鍵されると、上述した通常演奏モードの場合と同様、ハンマー６が時計回りに回動する。この回動の途中、図７に示すように、ハンマーヘッド６ｂが弦Ｓを打弦する直前で、ハンマーシャンク６ａの後部が、打弦阻止位置に位置するストッパレール２１に、クッション材２１ｄを介して当接することにより、ハンマー６のそれ以上の回動が阻止される結果、打弦が阻止される。これに伴い、前述した楽音発生装置から演奏音が発生し、消音演奏モードによる演奏が行われる。
【００４５】
また、消音演奏モード中、上述したように、駆動レバー３２および押圧レバー３７が第１および第２のばね３６，４２の付勢力に抗して回動し、押圧レバー３７が駆動レバー３２を押圧することにより、ストッパレール２１が打弦阻止位置に保持される。このため、ハンマー６がストッパレール２１に当接した際に、押圧レバー３７には、ハンマー６や、第１ばね３６、第２ばね４２からの反力が作用する。
【００４６】
これに対して、図８に示すように、消音演奏モード中、ストッパレール２１が上述した打弦阻止位置に保持されている状態において、駆動レバー３２の回動中心であるロッド支点ＲＰと、押圧レバー３７との駆動レバー３２の接触点（以下「レバー接触点」という）ＴＰとを結ぶ直線Ｌ１、および、レバー支点４１とレバー接触点ＴＰを結ぶ直線Ｌ２が、互いにほぼ直交している。
【００４７】
以上により、本実施形態によれば、消音演奏モード中、上述した反力の作用点からレバー支点４１までの腕の長さが短くなるので、この反力によって押圧レバー３７に作用するモーメントを非常に小さくすることができ、したがって、押圧レバー３７が回動するのを防止することができる。これにより、駆動レバー３２が押圧レバー３７で押圧された所定の回動位置に保持されるので、ストッパレール２１を打弦阻止位置に確実に保持することができ、したがって、ハンマー６による打弦を確実に阻止でき、消音演奏モードによる演奏を適切に行うことができる。
【００４８】
また、調整ねじ３５ａを回すことでレバー本体３３に対して進退させることにより、接触部材３４が、レバー本体３３に対し、支点３３ｊを中心として、駆動レバー３２の回動方向に回動する。これにより、図９に示すように、押圧レバー３７とは独立して、駆動レバー３２の回動方向における、レバー本体３３に対するレバー接触点ＴＰの位置が調整される結果、押圧レバー３７で駆動レバー３２を押圧した状態におけるレバー本体３３の回動位置が、調整される。これにより、必要な駆動レバー３２の調整量が大きい場合にも、ストッパレール２１を所望の打弦阻止位置にセットすることができ、ひいては、ストッパレール２１の安定した適正な打弦阻止動作を確保することができる。この場合、接触部材３４がレバー本体３３に対して駆動レバー３２の回動方向に回動するので、図８を用いて説明した接触部材３４および押圧レバー３７の位置関係を保持しながら、レバー本体３３の回動位置を調整することができる。
【００４９】
さらに、構成が比較的単純な調整ねじ３５ａを用いて、押圧レバー３７で駆動レバー３２を押圧した状態におけるレバー本体３３の回動位置の調整を、容易にかつ無段階で精度良く行うことができ、ひいては、ストッパレール２１を所望の打弦阻止位置に精度良くセットすることができる。
【００５０】
なお、本発明は、説明した実施形態に限定されることなく、種々の態様で実施することができる。例えば、実施形態では、ストッパレール２１を、駆動ロッド２５の押圧部２６によって、レール支持部材２２を介して押圧しているが、直接、押圧してもよい。また、実施形態では、駆動レバー３２のレバー本体３３を、駆動ロッド２５と別体に構成するとともに、駆動ロッド２５に一体に固定しているが、駆動ロッド２５と一体に構成してもよい。さらに、実施形態では、接触部材３４を、レバー本体３３に対し、支点３３ｊを中心として駆動レバー３２の回動方向に回動自在に設けているが、駆動レバー３２の回動方向にスライド自在に設けてもよい。また、実施形態では、調整ねじ３５ａをレバー本体３３にねじ込むとともに、その先端部に設けられたキャップ３５ｂを接触部材３４に接触させているが、逆に、調整ねじ３５ａを接触部材３４にねじ込むとともに、キャップ３５ｂをレバー本体３３に接触させてもよい。さらに、実施形態において、キャップ３５ｂを接触部材３４に接触させずに、固定してもよく、上述したように調整ねじ３５ａを接触部材３４にねじ込む場合には、キャップ３５ｂをレバー本体３３に固定してもよい。
【００５１】
また、実施形態では、本発明における調整機構を、調整ねじ３５ａなどで構成しているが、レバー本体３３に対して、接触部材３４を駆動レバー３２の回動方向に移動させることにより、レバー接触点ＴＰの位置を調整できるのであれば、他の機構を用いてもよい。例えば、接触部材３４を駆動レバー３２の回動方向の所定の複数の位置に保持する複数のストッパを用いて、レバー接触点ＴＰの位置を段階的に調整する調整機構を用いてもよい。さらに、実施形態では、操作レバーを押圧レバー３７に、ワイヤ５１を介して接続しているが、リンク機構などを介して接続してもよい。また、実施形態では、ピアノは、グランド型であるが、アップライト型でもよい。その他、本発明の趣旨の範囲内で、各部材の形状や配置などといった細部の構成を適宜、変更することが可能である。
【符号の説明】
【００５２】
Ｓ  弦
１  消音機構
２  消音ピアノ
５  鍵
６  ハンマー
２１  ストッパレール
２５  駆動ロッド
２６  押圧部
３２  駆動レバー
３３  レバー本体
３４  接触部材
３５  調整機構
３５ａ  調整ねじ
３７  押圧レバー
４１  レバー支点
５１  ワイヤ（操作部材）
ＲＰ  ロッド支点
ＴＰ  レバー接触点（押圧レバーとの駆動レバーの接触点）
Ｌ１  ロッド支点ＲＰとレバー接触点ＴＰとを結ぶ直線
Ｌ２  レバー支点４１とレバー接触点ＴＰとを結ぶ直線
【図１】
2010224027.tif 000003
【図２】
2010224027.tif 000004
【図３】
2010224027.tif 000005
【図４】
2010224027.tif 000006
【図５】
2010224027.tif 000007
【図６】
2010224027.tif 000008
【図７】
2010224027.tif 000009
【図８】
2010224027.tif 000010
【図９】
2010224027.tif 000011